(57)【要約】      （修正有）【課題】建設現場で積層されている建築用板材を吊り上げるための係止金具や吊り紐などの吊上げ補助具の取付を安全に且つ一人で行う持上げ工具の提供。【解決手段】工具本体部２に上下方向に移動自在に支持されている垂直移動部材が可動ハンドル部の操作により上下動することによって、垂直移動部材が建築用板材の端部を持上げる建築用板材の持上げ工具１であって、工具本体部２は、台座５の略中央部に支持ハンドル７を具備する摺動支持軸６が固定されており、垂直移動部は、摺動支持軸６に外嵌して案内されながら上下動する垂直摺動筒９と、垂直摺動筒９と共に上下動して建築用部材の端部を持上げる持上台１０及び連結腕を有し、可動ハンドル部は、可動ハンドル１３を具備するＬ字型回動杆１２の垂直杆１２ａと水平杆１２ｂの交差部が連結腕と回転自在に連結され、水平杆の端部が連結杆１５を介して台座と回動自在に連結している。【選択図】図１
2018119300.tif 000002
【特許請求の範囲】
【請求項１】
工具本体部に上下方向に移動自在に支持されている垂直移動部材が可動ハンドル部の操作により上下動することによって、前記垂直移動部材が建築用板材の端部を持上げる建築用板材の持上げ工具であって、
前記工具本体部は、台座の略中央部に支持ハンドルを具備する摺動支持軸が固定されており、
前記垂直移動部は、前記摺動支持軸に外嵌して案内されながら上下動する垂直摺動筒と、該垂直摺動筒と共に上下動して前記建築用部材の端部を持上げる持上台及び連結腕を有し、
前記可動ハンドル部は、可動ハンドルを具備するＬ字型回動杆の垂直杆と水平杆の交差部が前記連結腕と回転自在に連結され、前記水平杆の端部が連結杆を介して前記台座と回動自在に連結されていることを特徴とする建築用板材の持上げ工具。
【請求項２】
前記Ｌ型回動杆の交差部の軸と台座の側板に設けた軸との直線距離は、前記Ｌ型回動杆の交差部の軸と水平杆の先端部分に設けた軸との距離と、前記水平杆の先端部分に設けた軸と前記台座の側板に設けた軸との距離の長さの和よりも、短いことを特徴とする請求項１記載の建築用板材の持上げ工具。
【請求項３】
前記連結腕は、２つの連結腕が可動ハンドル部の交差部の幅の間隔を開けて垂直摺動部から平行に突出するように設けられていることを特徴とする請求項１又は２に記載の築用板材の持上げ工具。
【請求項４】
前記摺動支持軸及び該摺動支持軸に外嵌する垂直摺動筒は断面形状が四角形であることを特徴とする請求項１乃至３のいずれか一項に記載の建築用板材の持上げ工具。
【請求項５】
前記可動ハンドルは、引く側へ屈曲していることを特徴とする請求項１乃至４のいずれか一項に記載の建築用板材の持上げ工具。
【発明の詳細な説明】
【技術分野】
【０００１】
この発明は、建築作業現場において主として用いられる建築用板材の持上げ工具に関するものである。
【背景技術】
【０００２】
従来、外壁や床などの建築用板材として、例えば押出成形セメント板等の中空セメント板材等が用いられている。この建築用板材は工場で生産された後にトラック等で建設現場に搬入されて複数枚積み重ねられた状態で仮置きされ、その後に、クレーンにより建築物の所定場所に運搬されて組み込まれる作業がなされている。ところが建築用板材は仮置き状態では上下間に隙間なく積み重ねられているため、このままではクレーンで持ち上げるための係止金具やスリング等の吊上げ補助具を建築用板材の下方に通すことができない。又、積み重ねられた上下の建築用板材の間に先に輪木を差し込んで隙間を開けておき、後の吊上げ作業に備える必要がある場合もある。このような荷揚げの予備作業として建築用板材の一端を片方ずつ持上げて、その下方の建築用板材との間に隙間を設けて吊上げ補助具や輪木をそれぞれ通す作業が必要となる。従来、この予備作業を人力で行っていたので、持ち上げる作業者と吊上げ補助具や輪木を通す作業者の最低２人が必要であった。
【０００３】
このような人手で行う作業を簡素化するために、例えば下記特許文献１には、基端部が作業者の手で把持され、先端部が軽量気泡コンクリートパネル等の建築用板材の上面に当接される棒状操作部と、当棒状操作部の途中に突設された枝部と、該枝部の先端に棒状操作部とは直交方向に延びるよう固定され建築用板材の小口面の凹状目地部に嵌合される目地嵌合部とを備えた軽量気泡コンクリートパネル等の建築用板材の持上げ具が開示されている。この持上げ具では、目地嵌合部を作用点として、てこの原理を応用することで建築用板材の一端側が容易に且つ持ち上げを小さい力で楽に行うことができるようになる。
【先行技術文献】
【特許文献】
【０００４】
【特許文献１】実開平５−５８３７５３号公報
【発明の概要】
【発明が解決しようとする課題】
【０００５】
しかしながら、例えば押出成形セメント板材等の建築用板材は、その材質のために重量が重いので、特に大規模工事では建築用板材の設置枚数も多いために作業者に多大な労力と、作業者の手が建築用板材の間に挟まれる危険性も存在した。
【０００６】
また、上記特許文献１に開示されている持上げ具においては、てこの原理で作業者が負担する建築用板材を持ち上げる力は多少軽減されるものの、建築用板材の片方を持上げ状態を人力で保持しながら、下方の建築用板材との間に開いた隙間にクレーンで持ち上げるための係止金具やスリング等の吊上げ補助具を通さなければならないので、前記の人力で行う場合の作業と同様に、一人で作業を行うことが出来ず、非効率であるという問題点がある。
【０００７】
本発明は、上記のような問題に鑑みてなされたものであり、主たる目的は建築用板材の持上げるための係止金具や吊上げ紐などの吊上げ補助具の設置を一人で行うことができ、且つ、その手間と労力を軽減させることができ、更に一人で作業を行っていても、吊上げ補助具の取付や輪木の差し込み作業が安全に行える建築用板材の持上げ工具を提供することにある。
【課題を解決するための手段】
【０００８】
上記目的を達成するために、この発明の建築用板材の持上げ工具は、工具本体部に上下方向に移動自在に支持されている垂直移動部材が可動ハンドル部の操作により上下動することによって、前記垂直移動部材が建築用板材の端部を持上げる建築用板材の持上げ工具であって、前記工具本体部は、台座の略中央部に支持ハンドルを具備する摺動支持軸が固定されており、前記垂直移動部は、前記摺動支持軸に外嵌して案内されながら上下動する垂直摺動筒と、該垂直摺動筒と共に上下動して前記建築用部材の端部を持上げる持上台及び連結腕を有し、前記可動ハンドル部は、可動ハンドルを具備するＬ字型の回動杆の垂直杆と水平杆の交差部が前記連結腕と回転自在に連結され、前記水平杆の端部が連結杆を介して前記台座と回動自在に連結されていることを特徴としている。
【０００９】
又、前記Ｌ型回動杆の交差部の軸と台座の側板に設けた軸との直線距離は、前記Ｌ型回動杆の交差部の軸と水平杆の先端部分に設けた軸との距離の長さと、前記水平杆の先端部分に設けた軸と前記台座の側板に設けた軸との距離の長さの和よりも、短いことを特徴としている。
【００１０】
更に、前記連結腕は、２つの連結腕が可動ハンドル部の交差部の幅の間隔を開けて垂直摺動部から平行に突出するように設けられていることを特徴としている。
【００１１】
更に又、前記摺動支持軸及び該摺動支持軸に外嵌する垂直摺動筒は断面形状が四角形であることを特徴としている。
【００１２】
又、前記可動ハンドルは、引く側へ屈曲していることを特徴としている。
【発明の効果】
【００１３】
上記手段によると、積層されている建築用板材の上下に隣接する凹部に持上工具の持上台及び台座を挿入して、一方の手で支持ハンドルを握りもう一方の手で可動ハンドルを作業者自身の方向へ引くだけの作業で良いので作業が簡単であり、又、可動ハンドルと持上台の長さの比を大きくすることによって、作業者の可動ハンドルを引く力を弱く出来るので疲れが少ない。更に、可動ハンドルを最後まで引いて建築用板材を持ち上げて隙間を形成した後は、手を離しても隙間はそのまま維持できるので、形成された隙間に吊り上げ補助具を挿入する作業が１人で行うことが出来て省人化を図ることが出来る。小型であるので持ち運びが便利である。
【００１４】
又、前記Ｌ型回動杆の交差部の軸と台座の側板に設けた軸との直線距離は、前記Ｌ型回動杆の交差部の軸と水平杆の先端部分に設けた軸との距離と、前記水平杆の先端部分に設けた軸と前記台座の側板に設けた軸との距離の長さの和よりも、短いこととすることにより、可動ハンドルを手前に最後まで引いた時に、水平杆と連結杆の先端が折れ曲がった状態で摺動支持軸に当接して建築用板材の間隔を開けた状態が維持される
【００１５】
連結腕が２つの連結腕からなりその間にＬ型回動部の交差部が入れば回転する交差部が連結腕で挟まれて防御されて安全である。又、前記摺動支持軸や垂直摺動筒の断面形状が四角形であれば、相互に回転することがないので、上下方向の直線運動だけとなり作業が安定する。更に又、可動ハンドルが引く側へ屈曲しているので、支持ハンドルとの間の間隔が大きくなり手を入れやすく、作業能率が向上する。
【図面の簡単な説明】
【００１６】
【図１】この発明の一実施形態の全体斜視図
【図２】工具本体部の斜視図
【図３】図２の工具本体部の正面図
【図４】垂直移動部の斜視図
【図５】図４の垂直移動部の正面図
【図６】可動ハンドル部の斜視図
【図７】図６の可動ハンドル部の正面図
【図８】連結杆の斜視図
【図９】建築用板材端部への取付時の持上工具説明図
【図１０】建築用板材端部の持ち上げ途中の持上工具説明図
【図１１】建築用板材端部を最後まで持ち上げた時の持上工具説明図
【図１２】図９の断面図
【図１３】建築用板材端部への取付時使用説明図
【図１４】建築用板材端部の持上げ使用説明図
【図１５】クレーンによる建築用板材の吊上げ参考図
【発明を実施するための形態】
【００１７】
この発明の実施形態について以下図面に基づいて説明する。この発明の建築用板材の持上げ工具１は、図１乃至図７に示されているように、工具本体部２、該工具本体部２にガイバされて上下動する垂直移動部３、該垂直移動部３をてこの原理で上方へ持上げする可動ハンドル部４を主要な構成要件としている。そして、この建築用板材の持上げ工具１で持上げる建築用板材Ａは４つの側端面の少なくともいずれか１つに穴若しくは溝などの凹部Ｂが形成されているものが対象である。
【００１８】
前記工具本体部２は、図２、図３に示されるように、台座５と、該台座５の内部の略中央部に固定された四角柱からなる摺動支持軸６、該摺動支持軸６の上端に固定された手握部を先端に有する支持ハンドル７を有している。更に又、前記台座５の両側板５ｂの一端側には軸穴５ｃが形成されている。前記摺動支持軸６の長さと支持ハンドル７の長さは、建築用板材Ａの持ち上げ距離に応じて適宜選択される。摺動支持軸６の内部は空洞とすれば全体の重さが軽減される。摺動支持軸６と支持ハンドル７は同一部材からなる一体成形されたものであってもよい。
【００１９】
前記垂直移動部３は、図４、図５に示されるように、前記工具本体部２の摺動支持軸６に外嵌して上下動する垂直摺動筒９と、この垂直摺動筒９の高さ方向の中央部分で且つ前記台座５を形成する側板５ｂの前記軸穴５ｃを形成した側と反対側の上方に位置する側面に建築用板材Ａの凹部Ｂに差し込む持上台１０が突出して設けられている。又、この持上台１０と反対側には先端に軸穴１１ａを形成した２つの連結腕１１が可動ハンドル部４の幅の間隔を開けて平行に突出するように設けられている。
【００２０】
前記可動ハンドル部４は、図６、図７に示すように、側面視がＬ字型を有するＬ型回動杆１２の垂直杆１２ａの上方に先端に手握部を有し且つ支持ハンドル７との間隔を開けて手を入れやすくして作業能率を上げるために作業者方向へ少し曲った可動ハンドル１３を固定し、前記垂直杆１２ａに対して略直角方向に延びる水平杆１２ｂの先端部分及び前記垂直杆１２ａと水平杆１２ｂの交差部１２ｃにはそれぞれ軸穴１２ｄ、１２ｅが設けられている。図１、図６等からも分かるように、可動ハンドル１３の先端は前記支持ハンドル７の先端と略同一高さとして作業能率が上るようにしている。又、Ｌ型回動杆１２は内部が詰った四角柱棒を直角に折り曲げて形成したものであっても、金属板からなる断面がコの字型の中空部材であってもよい。コの字型の中空部材の場合には、全体重量が軽減されるのに加えて、水平杆１２ｂに形成する軸穴１２ｄが形成し易い。
【００２１】
又、可動ハンドル１３を最も手前に引き下げた図１１の状態においては、前記Ｌ型回動杆１２の交差部１２ｃの軸１４と台座５の側板５ｂに設けた軸１７との直線距離ａは、前記Ｌ型回動杆１２の交差部１２ｃの軸１４と水平杆１２ｂの先端部分に設けた軸１６の距離ｂと、前記水平杆１２ｂの先端部分に設けた軸１６と前記台座５の側板５ｂに設けた軸１７との距離ｃの和よりも、短くなるように形成されている。即ち、ａ＜ｂ＋ｃの関係となっている。これによって、持上台１０に建築用板材Ａの荷重が掛かって垂直摺動筒９が下方へ付勢されても、軸１６を中心に折れ曲がった水平杆１２ｂと連結杆１５の端が摺動支持軸６の側面に当接して下降を阻止し得て、両手を支持ハンドル７及び可動ハンドル１３から話しても距離Ｄ３を安定して維持できる。
【００２２】
上記の主構成要件からなるこの建築用部材の持上げ工具１を使用するに際しては、図１に示すように組立てた状態で使用する。まず、摺動支持軸６に垂直摺動筒９を外嵌して工具本体部２と垂直移動部３とを連結する。次に、垂直移動部３の２本の連結腕１１の間に可動ハンドル部４の交差部１２ｃを入れて２本の連結腕１１の軸穴１１ａと交差部１２ｃの軸穴１２ｅを一致させて軸１４を挿入して垂直移動部３に対して可動ハンドル部４が回動自在となるように固定する。交差部１２ｃは２本の連結腕１１の内側に入るために動いても安全である。
【００２３】
そして、次に、可動ハンドル部４のＬ型回動杆１２の水平杆１２ｂの先端部に形成した軸穴１２ｄと所定長さにあらかじめ形成してある連結杆１５の一方の端に形成している軸穴１５ａを合わせて軸１６を挿入して相互に回動自在とし、更に連結杆１５の他方の端に形成しているもう一つの軸穴１５ｂと工具本体部２の台座５の側板５ｂに設けている軸穴５ｃとを一致させて軸１７を挿入して相互に回転自在としている。前記水平杆１２ｂが断面コの字型の中空で２つの側板１２ｆを具備している場合には、前記連結杆１５はそれぞれこの２つの側板１２ｆの内側に合わせるようにすることで、連結杆１２ａの回動部分が側板１２ｆによって保護されるので安全である。又、この２つの連結杆１５の下方端も同様に前記台座５を形成する２つの側板５ｂの内側に合わせるようにすると同様に安全に保護される。尚、２つの連結管１５を使用したが、これに代えて、前記水平杆１２ｂと同じように、断面コの字型の中空で２つの側板を具備するものを連結杆１５とすれば、連結杆１５が相互に繋がったことと同じであり、剛性・耐久性が生じて尚且つ動作も安定・スムーズになる利点がある。
【００２４】
上記のように組立てられたこの発明の建築用部材の持上げ工具１の使用について図９乃至図１５について説明する。使用開始に当っては、図９に示すように、可動ハンドル１３を支持ハンドル７と同じようにほぼ垂直方向に立てた状態にしておく。これによって、垂直移動部３の垂直摺動筒９は、連結杆１５が台座５及び水平杆１２ｂと軸１６で回転自在に連結され、且つ、Ｌ型回動杆１２の交差部１２ｃと垂直移動部３の連結腕１１も軸１４で回転自在に連結されているリンク機構を構成し、しかも垂直摺動筒９が摺動支持軸６に上下動自在に外嵌していることから、台座５を構成する２つの側板５ｂの上面と持上台１０の上面との距離Ｄ１は最小距離を保ってこれ以上小さくなることはない状態で静止している。この距離Ｄ１は、図１４に示すように、積み重ねられた建築用板材Ａの端面に形成されている断熱材等の挿入用の穴である凹部Ｂの上下間の距離としておくことによって、スムーズに作業が行える。この建築用板材の持上工具１の使用範囲を小型の建築用板材Ａに適用する場合には、この最小距離Ｄ１を小さくなるように設計すれば対応できる。
【００２５】
積層された建築用板材Ａの上下の凹部Ｂの間隔距離に距離Ｄ１を合わせるには、可動ハンドル１３を図９に示す矢印方向すなわち作業者自身の方向へ引きあるいは逆に押すことによって可能である。引いた時には垂直移動部３は３つの軸１４、１６、１７によるリンク機構が働いて垂直摺動筒９が摺動支持軸６に沿って上昇し、逆に可動ハンドル１３を作業者から離れる方向である支持ハンドル７方向へ押して回動させれば、同じリンク機構によってＤ１の距離は縮小する。このようにＤ１の間隔距離と上下２つの凹部Ｂの距離を略一致させてから、図１３に示すように、上下の凹部Ｂの中へ持上台１０及び台座５の先端を挿入する。この時、一方の手で支持ハンドル７を他方の手で可動ハンドル１３を持って可動ハンドル１３を作業者自身の方向へ引くことによって、距離Ｄ１が大きくなって図１０に示す距離Ｄ２となり、持上台１０は上側の建築用板材Ａの凹部Ｂの上方内面に当接し、台座５の底板５ａの裏面が下側の建築用板材Ａの凹部Ｂの下方内面に当接する。そして更に可動ハンドル１３を手前に引き続けると、図１１に示す距離Ｄ３となって、図１４に示すように、上下の建築用板材Ａの間に隙間Ｌが形成される。
【００２６】
この時、図１１に示すように、可動ハンドル１３を最大限まで作業者方向へ引けば支持ハンドル７とほぼ直角を形成して静止する。この状態においては、持上台１０の上方に建築用板材Ａの荷重が掛かっている場合であっても、前記した理由によって、垂直摺動筒９が摺動支持軸６を滑って落下することは生じない。すなわち、図１１において持上台１０に荷重が掛かった時には、その荷重により垂直摺動筒９が下方へ摺り落ちようとするが、この垂直摺動筒９に連結されている連結腕１１と軸１４によって回動可能に連結されているＬ型回動杆１２の水平杆１２ｂと連結杆１５とは垂直方向に一直線ではなく「く」の字型に屈曲するため、水平杆１２ｂの側端が摺動支持軸６に当接してその荷重による回動を止めている。このことによって、建築用板材Ａの荷重が持上台１０、垂直摺動筒９に掛かっても摺り落ちることがない。この摺り落ちない安定した状態は、可動ハンドル１３を作業者方向に最後まで引いた時である。これで作業者は支持ハンドル７及び可動ハンドル１３から両手を離すことが出来る。
【００２７】
尚、この摺り落ちないようにするための他の手段として、垂直摺動筒６の上下幅の長さを小さくすることにより、持上台１０に掛かった荷重は偏荷重として垂直摺動筒６に伝達されて垂直摺動支持軸６に対する摺動摩擦で係止することも可能であるが、安定性に欠けるためにあまり適切ではない。
【００２８】
上述のような建築用板材Ａを持ち上げるために可動ハンドル１３を作業者側へ引き込む力は、てこの原理により交差部１２ｃと連結腕１１とを回転自在に固定する軸１４から可動ハンドル１３の先端迄の距離と持上台１０の先端迄の距離の比によって決るため、可動ハンドル１３の長さを持上台１０の長さより十分に大きくすることで、小さい力でも建築用板材Ａの持上げが出来て作業が楽になる。
【００２９】
前述のようにして、積層されている隣接した上下２つの建築用板材Ａの間に隙間Ｌが形成されると、そこに吊り紐や吊り金具などの吊上げ補助具Ｃを通して入れる。吊上げる際には図１５に示すように、長手方向の両側に吊上げ補助具Ｃを通さなければならないので一枚の建築用板材Ａの両端部で片方ずつ同じ操作を繰り返して２つの吊上げ補助具Ｃを挿入する。図では１枚の建築用板材Ａを吊り紐でクレーンで吊上げる場合について説明しているが、複数枚の建築用板材Ａを吊り上げる場合にも同様の作業によって行うことができる。
【００３０】
以上の説明で明らかなように、この発明の建築用板材の持上げ工具１によると、簡単な操作で建築用板材Ａの端部を持ち上げることが出来るのに加えて、持上台１０と可動ハンドル１３の長さの比を大きくすることで、少ない力で楽に作業が可能となる。また、可動ハンドル１３を作業者側へ引くことによって持上げられるので、横方向に開くより力が入れ易い。更に又、上下の建築用板材Ａの端部の隙間Ｌを開けたままの状態で２つのハンドル７、１３から両手を離しても隙間Ｌはそのまま維持できるために、開いた隙間Ｌに吊上げ補助具Ｃの挿入を同じ作業者が一人でき、省人化を図ることが出来る。
【産業上の利用可能性】
【００３１】
この発明の建築用板材の持上げ工具は、高層、低層建築物に拘わらず、全ての建築物の建築用板材の吊上げ作業や輪木の挿入時に使用できるため、使用用途は広汎であり、多くの需要が見込まれる。
【符号の説明】
【００３２】
１    建築用板材持上げ工具
２    工具本体部
３    垂直移動部
４    可動ハンドル部
５    台座
６    摺動支持軸
７    支持ハンドル
９    垂直摺動筒
１０  持上台
１１  連結腕
１２  Ｌ型回動杆
１２ａ  垂直杆
１２ｂ  水平杆
１３  可動ハンドル
１４、１６、１７  軸
１５  連結杆
【図１】
2018119300.tif 000003
【図２】
2018119300.tif 000004
【図３】
2018119300.tif 000005
【図４】
2018119300.tif 000006
【図５】
2018119300.tif 000007
【図６】
2018119300.tif 000008
【図７】
2018119300.tif 000009
【図８】
2018119300.tif 000010
【図９】
2018119300.tif 000011
【図１０】
2018119300.tif 000012
【図１１】
2018119300.tif 000013
【図１２】
2018119300.tif 000014
【図１３】
2018119300.tif 000015
【図１４】
2018119300.tif 000016
【図１５】
2018119300.tif 000017
【手続補正書】
【提出日】平成30年3月12日(2018.3.12)
【手続補正１】
【補正対象書類名】特許請求の範囲
【補正対象項目名】請求項３
【補正方法】変更
【補正の内容】
【請求項３】
前記連結腕は、２つの連結腕が可動ハンドル部の交差部の幅の間隔を開けて垂直摺動部から平行に突出するように設けられていることを特徴とする請求項１又は２に記載の建築用板材の持上げ工具。
【手続補正２】
【補正対象書類名】明細書
【補正対象項目名】０００４
【補正方法】変更
【補正の内容】
【０００４】
【特許文献１】実開平０５−０５８７５３号公報